(57)【要約】【課題】  電源プラグの接続端子部材の外周部と電源コンセントの電源プラグ接続口の内周壁との間に間隙が構成されないようにし、ショートの発生を防止するとともに電源プラグが電源コンセントにしっかり接続されるようにする電源プラグを製造する。【解決手段】  接続端子４の表面に防錆のためのメッキ処理を施し、メッキ処理が施された接続端子に絶縁部材を一体に被覆し間隙充填部５を形成し、間隙充填部５が形成された接続端子の基端部にコード６を接続し、コード６が接続された接続端子４を所定位置に保持した状態で、絶縁部材によってプラグ本体３を形成する。【選択図】  図２
2006049330.tif 000002
【特許請求の範囲】
【請求項１】
絶縁材料によって形成されたプラグ本体と、このプラグ本体に対して、コードが接続された基端部がその内部に支持されるとともに他端部が外方へと突出露呈され、プラグ本体の内部から外方へと露呈する根元の部位に亘る表面に、絶縁部材を一体に被覆することにより間隙充填部が形成された少なくとも一対の接続端子とから構成され、上記接続端子の間隙充填部は、上記接続端子が電源コンセントのプラグ接続口に差し込まれた状態において、これら接続端子の外周部とプラグ接続口の内周壁との間に構成される間隙に充填されることを特徴とする電源プラグの製造方法であって、
上記接続端子の表面に防錆のためのメッキ処理を施し、
上記メッキ処理が施された接続端子に絶縁部材を一体に被覆し上記間隙充填部を形成し、
上記間隙充填部が形成された接続端子の基端部に上記コードを接続し、
上記コードが接続された接続端子を所定位置に保持した状態で、上記絶縁材料によって上記プラグ本体を形成することを特徴とする電源プラグの製造方法。
【発明の詳細な説明】
【技術分野】
【０００１】
本発明は、電源コンセントに差し込まれて電気機器に電力を供給する電源プラグの製造方法に関する。
【背景技術】
【０００２】
電化製品やＯＡ機器等の電気機器には、電源コンセントに差し込み接続される電源プラグが備えられている。この電源プラグ１０１は、図５及び図６に示すように、プラグ本体１０３と、電源コンセント１０２のプラグ接続口１０６（１０６Ａ、１０６Ｂ）に差し込まれる一対の接続端子１０４（１０４Ａ、１０４Ｂ）と、電気機器側に接続される電源コード１０５とを備えている。
【０００３】
プラグ本体１０３は、プラスチック、合成ゴム等の絶縁性を有する絶縁材料により、略矩形状に形成されている。接続端子１０４は、やや細長い金属板によって形成され、基端側がプラグ本体１０３の内部に支持されるとともに、先端部分がプラグ本体１０３より突出された状態でプラグ本体１０３に組み付けられている。接続端子１０４の先端部は、電源コンセント１０２のプラグ接続口１０６に差し込まれる。
【０００４】
電源コード１０５は、一端がプラグ本体１０３の接続端子１０４が設けられる突当面１０３Ａと対向する他側面１０３Ｂからプラグ本体１０３内部へと導かれて接続端子１０４と電気的に接続され、他端が図示しない電化製品等の電気機器に接続されている。
【０００５】
以上のように構成された電源プラグ１０１は、接続端子１０４が電源コンセント１０２のプラグ接続口１０６に差し込まれることにより、電源コード１０５が接続された電化製品等の電気機器に電力を供給する。
【０００６】
ところで、上述した従来の電源プラグ１０１においては、接続端子１０４を電源コンセント１０２のプラグ接続口１０６に差し込み可能とするために、その外形寸法がプラグ接続口１０６の開口寸法に比べてやや小とされている。したがって、電源プラグ１０１は、電源コンセント１０２に差し込まれた際に、図６に示すように、接続端子１０４の外周部と電源コンセント１０２のプラグ接続口１０６の内周壁との間に間隙１０７（１０７Ａ、１０７Ｂ）が生じる。電源プラグ１０１は、この間隙１０７に塵埃等が付着し、この塵埃等が湿気を帯びることによりショート等の不都合が発生するおそれがあった。
【０００７】
また、電源プラグ１０１は、接続端子１０４の外周部と電源コンセント１０２のプラグ接続口１０６の内周壁との間に間隙１０７を生じているのでガタつきが生じやすく、プラグ本体１０３が電源コンセントに対して傾斜し、プラグ接続口１０６から抜けやすい状態となる。このため、従来の電源プラグ１０１では、誤って電源コード１０５に足を引っかけた場合等に簡単に電源コンセント１０２から抜けてしまい、特に電力の供給を常時必要とするＯＡ機器等においては、電力が遮断されることによって、内部データが破損するといった問題が発生する。
【０００８】
【特許文献１】特開平７−３３５３０８号公報
【発明の開示】
【発明が解決しようとする課題】
【０００９】
したがって、本発明は、接続端子の外周部と電源コンセントのプラグ接続口の内周壁との間に実質的に間隙が構成されないようにしショートの発生を防止するとともに接続端子が電源コンセントにしっかり接続されるようにした電源プラグの製造方法を提供することを目的とする。
【課題を解決するための手段】
【００１０】
この目的を達成した本発明に係る電源プラグの製造方法は、絶縁材料によって形成されたプラグ本体と、このプラグ本体に対して、コードが接続された基端部がその内部に支持されるとともに他端部が外方へと突出露呈され、プラグ本体の内部から外方へと露呈する根元の部位に亘る表面に、絶縁部材を一体に被覆することにより間隙充填部が形成された少なくとも一対の接続端子とから構成され、上記接続端子の間隙充填部は、上記接続端子が電源コンセントのプラグ接続口に差し込まれた状態において、これら接続端子の外周部とプラグ接続口の内周壁との間に構成される間隙に充填されることを特徴とする電源プラグの製造方法であって、上記接続端子の表面に防錆のためのメッキ処理を施し、上記メッキ処理が施された接続端子に絶縁部材を一体に被覆し上記間隙充填部を形成し、上記間隙充填部が形成された接続端子の基端部に上記コードを接続し、上記コードが接続された接続端子を所定位置に保持した状態で、上記絶縁材料によって上記プラグ本体を形成することを特徴とする。
【発明の効果】
【００１１】
本発明に係る電源プラグの製造方法によれば、接続端子が電源コンセントのプラグ接続口に差し込まれた際に、間隙充填部がこれら接続端子の外周部とプラグ接続口の内周壁との間に構成される間隙に充填され、接続端子とプラグ接続口との間に塵埃等が付着することを防止するとともに、接続端子の錆に伴う間隙充填部の変形が防止され、ガタつきの発生を防止する電源プラグを製造することができる。
【００１２】
また、あらゆる種類のプラグ本体に適用可能であるので、従来の生産設備を殆ど改造することなく製造することが可能であり、低コスト化が実現できる。
【発明を実施するための最良の形態】
【００１３】
以下、本発明を適用した電源プラグ１の製造方法を、製造される電源プラグの構成と共に、図面を参照して詳細に説明する。
【００１４】
電源プラグ１は、図１乃至図３に示すように、プラグ本体３と、電源コンセント２のプラグ接続口９（９Ａ、９Ｂ）に差し込まれる一対の接続端子４（４Ａ、４Ｂ）と、電気機器等に接続される電源コード６とを備えている。
【００１５】
プラグ本体３は、プラスチック、合成ゴム等の絶縁性を有する絶縁材料によって、図２に示すように、外形が略五角形状を呈して形成され、その内部に、詳細を後述する一対の接続端子４の基端側及び電源コード６の一部が保持される。このプラグ本体３は、電源コンセント２に差し込まれる側に突当面７が形成され、この突当面７から一対の接続端子４の先端側が突出される。また、このプラグ本体３においては、突当面７の反対側が絞り込まれた形状を呈しており、この側面８から電源コード６が引き出されている。
【００１６】
接続端子４は、全体が横長の板状体となっており、その基端側がプラグ本体３の内部に支持され、一方、電源コンセント２に差し込まれる側である先端側がプラグ本体３の突当面７より突出するようにしてプラグ本体３に取り付けられる。この接続端子４は、例えば銅（Ｃｕ）等の金属板をプレス加工することにより所定形状に成形され、その表面に防錆のためのメッキ処理が施されて形成される。
【００１７】
これら接続端子４においては、図２及び図３に示すように、その中央部の外周に間隙充填部５（５Ａ、５Ｂ）が形成されている。この間隙充填部５は、絶縁材料で形成され、例えば接続端子４の表面にコーティング処理すること、塗装すること、或いは接続端子４にアウトサート成形すること等によって、接続端子４と一体に形成される。間隙充填部５は、その厚みが電源コンセント２のプラグ接続口９の内形寸法と略等しくなるよう形成されている。接続端子４は、図２に示すように、この間隙充填部５のうちの所定幅Ｌだけの部分がプラグ本体３の突当面７から突出し、残りの部分がプラグ本体３の内部に収容されるようにしてプラグ本体３に保持される。
【００１８】
また、接続端子４においては、その基端側にカシメ部１１（１１Ａ、１１Ｂ）が形成されており、電源コード６の電線と接続端子とがカシメ処理により接続される。電源コード６は、その一端側が接続端子４のカシメ部１１と接続され、プラグ本体３内部に保持される。この電源コード６は、側面８からプラグ本体３の外部に露呈し、その他端側が図示しない電化製品等の電気機器に接続されている。
【００１９】
以上のように構成された電源プラグ１は、接続端子４が電源コンセント２のプラグ接続口９に差し込まれる際に、図１及び図４に示すように、電源プラグ１の接続端子４の外周部と電源コンセント２のプラグ接続口９の内周壁との間に生じる間隙１０（１０Ａ、１０Ｂ）に間隙充填部５が充填される。
【００２０】
このため、電源プラグ１は、電源コンセント２に差し込まれた状態で、間隙１０に塵埃等が入り込むことを防止するとともに、接続端子４の錆に伴う間隙充填部５の変形が防止され、ガタつきの発生を防止する。したがって、電源プラグ１は、極めて安全性が高く電源コンセント２に対する接続状態が確実に保持され、プラグ接続口９から抜け易い状態になることは無い。したがって、電源プラグ１は、電源コード６の一端が接続された電化製品等の電気機器に確実に電力を供給する。
【００２１】
また、電源プラグ１においては、図４に示すように、接続端子４が電源コンセント２のプラグ接続口９に差し込まれた際に、間隙充填部５によって接続端子４の外周部とプラグ接続口９の内周壁との間に間隙１０が構成されないため、この箇所に塵埃等が付着することを防止できる。従って、電源プラグ１においては、付着した塵埃が湿気を帯びることにより生じるショートの発生が防止されるとともに、接続端子４がプラグ接続口９にしっかりと接続される。
【００２２】
なお、電源プラグ１においては、プラグ本体３として合成樹脂を用い、接続端子４、間隙充填部５、電源コード６等と一体形成するように構成したが、本発明においてはこれに限定されるものではなく、例えばプラグ本体３を硬質プラスチックによる組立式のものとして、間隙充填部５が形成された接続端子４と電源コード６をその内部に組み込む構成としても良いことは勿論であり、本発明においてはあらゆる種類のプラグ本体に適用することができる。
【図面の簡単な説明】
【００２３】
【図１】本発明により製造される電源プラグを示す斜視図である。
【図２】本発明により製造される電源プラグを示す水平断面図である。
【図３】同電源プラグの一部切り欠き側面図である。
【図４】同電源プラグを電源コンセントへ差し込んだ状態を示す要部縦断面図である。
【図５】従来の電源プラグを示す斜視図である。
【図６】従来の電源プラグを電源コンセントへ差し込む状態を示す斜視図である。
【符号の説明】
【００２４】
１ 電源プラグ、３ プラグ本体、４（４Ａ,４Ｂ） 接続端子、５（５Ａ,５Ｂ） 間隙充填部、６ 電源コンセント
【図１】
2006049330.tif 000003
【図２】
2006049330.tif 000004
【図３】
2006049330.tif 000005
【図４】
2006049330.tif 000006
【図５】
2006049330.tif 000007
【図６】
2006049330.tif 000008